(57)【特許請求の範囲】
【請求項１】
接着性又は粘着性の内容物を収容する収容袋であって、
互いの間に収容室を画成するとともに縁部どうしが連なる２つのシート部を有し、
これらシート部における前記収容室を画成する部分の内面の全域には、前記内容物の付着を防止する付着防止層が設けられ、
前記付着防止層が、前記内容物と同色系に着色されていることを特徴とする収容袋。
【請求項２】
前記各シート部が、最内層がヒートシール樹脂層からなるラミネートシートにて構成され、各シート部のヒートシール樹脂層における前記収容室に対応する部分に前記付着防止層が設けられており、
前記付着防止層の色が前記ラミネートシートの内面側に現れる色とは異色系であるか、又は前記ラミネートシートが透明であり、
前記２つのシート部のヒートシール樹脂層における前記付着防止層より外側に延び出た縁部どうしがヒートシールにより一体接合されていることを特徴とする請求項１に記載の収容袋。
【請求項３】
前記内容物がホットメルト接着剤にて構成され、前記ヒートシール樹脂層の溶融温度が、前記ホットメルト接着剤の溶融温度より高く、かつ前記付着防止層の溶融温度が、前記ヒートシール樹脂層の溶融温度より高いことを特徴とする請求項２に記載の収容袋。
【請求項４】
接着性又は粘着性の内容物を収容する収容袋を製造する方法であって、
２つのシート部における収容室を画成すべき部分の内面の全域に、前記内容物と同色系の付着防止層を形成した後、
前記２つのシート部を互いに対向させて、これらシート部における前記付着防止層よりも外側へ延び出た縁部どうしをヒートシールにより封止することを特徴とする収容袋の製造方法。
【発明の詳細な説明】
【技術分野】
【０００１】
本発明は、収容袋、及び収容袋を製造する方法に関し、特に接着剤や粘着剤等の接着性又は粘着性を有する内容物を収容するのに適した収容袋及びその製造方法に関する。
【背景技術】
【０００２】
例えば、特許文献１には、粘着性を有する内容物を収容する収容袋が開示されている。収容袋の収容室の内面には、付着防止層が塗布されている。付着防止層は、シリコーンで構成され、透明になっている。この付着防止層の外縁部分にだけ着色剤が添加されることで、ライン状の着色層が形成されている。この着色層によって、付着防止層と、その外側のヒートシール領域との境が明瞭になり、袋製造時のヒートシール作業を簡易化できる。また、付着防止層における着色層よりも内側の部分は透明であるため、内容物に色が移るのを防止できる。
【先行技術文献】
【特許文献】
【０００３】
【特許文献１】特開２０１２−７６７６８号公報
【発明の概要】
【発明が解決しようとする課題】
【０００４】
前掲特許文献１において、付着防止層の外縁部分に沿ってライン状の着色層を塗布するのは煩雑であり、透明層と着色層とを別々に塗布しなければならず、工数も増える。一方、付着防止層の全域を着色層とすると、接着性又は粘着性の内容物に色が移ることで、内容物の外観が損なわれるおそれがある。
【課題を解決するための手段】
【０００５】
前記問題点を解決するために、本発明は、接着性又は粘着性の内容物を収容する収容袋であって、
互いの間に収容室を画成するとともに縁部どうしが連なる２つのシート部を有し、
これらシート部における前記収容室を画成する部分の内面の全域には、前記内容物の付着を防止する付着防止層が設けられ、
前記付着防止層が、前記内容物と同色系に着色されていることを特徴とする。
この収容袋によれば、シート部における収容室を画成する部分の全域に付着防止層を一様に形成すればよく、付着防止層の外縁部分だけをライン状の着色層にする必要が無い。また、付着防止層を設けることによって、接着性又は粘着性の内容物が収容袋の内面に付着するのを防止でき、内容物を収容袋から円滑に取り出すことができる。さらに、収容袋内の内容物に付着防止層の色が移ったとしても、同色系であるため目立ちにくい。したがって、内容物の外観が損なわれるのを抑制又は防止できる。
【０００６】
前記各シート部が、最内層がヒートシール樹脂層からなるラミネートシートにて構成され、各シート部のヒートシール樹脂層における前記収容室に対応する部分に前記付着防止層が設けられており、
前記付着防止層の色が前記ラミネートシートの内面側に現れる色とは異色系であるか、又は前記ラミネートシートが透明であり、
前記２つのシート部のヒートシール樹脂層における前記付着防止層より外側に延び出た縁部どうしがヒートシールにより一体接合されていることが好ましい。
これによって、収容袋を製造する際、ヒートシール樹脂層の縁部と付着防止層との境を明瞭に判別することができる。したがって、２つのシート部の前記境どうしを容易にぴったりと一致させることができ、これらシート部のズレを防止することができる。よって、何れか一方のシート部のヒートシール樹脂層の縁部が部分的に収容室内に露出するのを防止でき、この露出部分に接着性又は粘着性の内容物が付着するのを防止することができる。この結果、内容物の使用に際して、内容部を収容袋から円滑に取り出すことができ、さらには、収容袋内から取り出し不能な内容物の量を減らすことができ、内容物の使用効率を確保できる。
【０００７】
前記内容物がホットメルト接着剤にて構成され、前記ヒートシール樹脂層の溶融温度が、前記ホットメルト接着剤の溶融温度より高く、かつ前記付着防止層の溶融温度が、前記ヒートシール樹脂層の溶融温度より高いことが好ましい。
これによって、収容袋を製造するために２つのシート部のヒートシール樹脂層の縁部どうしをヒートシールする際、付着防止層が溶融するのを回避できる。また、ホットメルト接着剤を溶融させて収容室に充填する際は、ヒートシール樹脂層が溶けて封止部分に穴が開くのを防止できる。
【０００８】
また、本発明は、接着性又は粘着性の内容物を収容する収容袋を製造する方法であって、
２つのシート部における収容室を画成すべき部分の内面の全域に、前記内容物と同色系の付着防止層を形成した後、
前記２つのシート部を互いに対向させて、これらシート部における前記付着防止層よりも外側へ延び出た縁部どうしをヒートシールにより封止することを特徴とする。
この方法によれば、シート部の収容室を画成する部分の全域に付着防止層を一様に形成すればよく、付着防止層の外縁部分だけをライン状の着色層にする必要が無い。また、ヒートシール樹脂層における封止されるべき縁部と付着防止層との境を明瞭に判別することができる。したがって、２つのシート部の前記境どうしを容易にぴったりと一致させることができ、これらシート部のズレを防止することができる。よって、何れか一方のシート部のヒートシール樹脂層の縁部が部分的に収容室内に露出するのを防止でき、この露出部分に接着性又は粘着性の内容物が付着するのを防止することができる。この結果、内容物の使用に際して、内容部を収容袋から円滑に取り出すことができ、収容袋内から取り出し不能な内容物の量を減らすことができ、内容物の使用効率を確保できる。さらに、収容袋内の内容物に付着防止層の色が移ったとしても、同色系であるため目立ちにくい。したがって、内容物の外観が損なわれるのを抑制又は防止できる。
【発明の効果】
【０００９】
本発明によれば、付着防止層を容易に形成でき、かつ内容物に付着防止層の色が移ったとしても内容物の外観が損なわれるのを抑制又は防止できる。
【図面の簡単な説明】
【００１０】
【図１】図１は、本発明の一実施形態に係る収容袋を、上端の口部を少し開いた状態で示す正面図である。
【図２】図２は、製造時の前記収容袋を、付着防止層の塗布後、二つ折り前の状態で示す正面図である。
【図３】図３は、図１のＩＩＩ−ＩＩＩ線に沿う、前記収容袋の断面図である。
【発明を実施するための形態】
【００１１】
以下、本発明の一実施形態を図面にしたがって説明する。
図１は、収容袋１を示したものである。収容袋１の内部の収容室１ｓには、接着性又は粘着性を有する内容物が収容される。この実施形態の内容物は、ホットメルト接着剤２である。
【００１２】
収容袋１は、２つのシート部１０，１０を備えている。これら２つのシート部１０，１０が互いに対向することによって、両シート部１０，１０の間に収容室１ｓが画成されている。これらシート部１０，１０の縁部１１，１１どうしが連なっている。各シート部１０における縁部１１より内側の部分（収容室画成部分１２）によって、収容室１ｓが画成されている。
【００１３】
詳しくは、この実施形態の収容袋１は、二方袋にて構成されている。すなわち、図１及び図２に示すように、収容袋１は、１枚のシート１Ｘを二つ折りにし、その折り曲げ部１ｂを挟んで両側をシート部１０，１０とするとともに、折り曲げ部１ｂを底部とし、左右の両縁部をヒートシールにて封止したものである。したがって、折り曲げ部１ｂにおいて、シート部１０，１０の下側の縁部１１ｂ，１１ｂどうしが一体に連なっている。シート部１０，１０の左右両側の縁部１１ａ，１１ａどうしは、ヒートシールによって連ねられるとともに封止され、封止部１ａを構成している。
【００１４】
図１に示すように、収容袋１の上側部は口部１ｅとなっている。この口部１ｅから収容室１ｓ内にホットメルト接着剤２が充填された後、シート部１０，１０の上側の縁部１１ｅ，１１ｅどうしが、ヒートシールによって封止される。これによって、収容袋１が密封される。
【００１５】
図３に示すように、シート１Ｘひいては各シート部１０は、ラミネートシート２０にて構成されている。ラミネートシート２０は、表面樹脂層２１と、金属膜層２２と、中間樹脂層２３と、ヒートシール樹脂層２４とを、表側から順に積層した構造になっている。なお、図３において、各層２１〜２４の厚みは、幅（同図において左右方向の寸法）に対して誇張されている。最外層の表面樹脂層２１は、例えばポリエチレンテレフタレート（ＰＥＴ）等の樹脂にて構成されている。金属膜層２２は、例えばアルミニウムにて構成されている。中間樹脂層２３は、例えばナイロン（登録商標）等の樹脂にて構成されている。最内層のヒートシール樹脂層２４は、ＰＥＴ等の樹脂にて構成されている。２つのシート部１０，１０のヒートシール樹脂層２４，２４における左右両側の縁部２４ａ，２４ａ（被封止部）どうしが、ヒートシールによって一体接合されている。
【００１６】
ラミネートシート２０における樹脂層２１，２３，２４は透明である。したがって、金属膜層２２を構成するアルミニウムの銀白色が、ラミネートシート２０の外面側（表側）に現れるとともに内面側にも現れている。
なお、収容袋１の外面には、内容物の商品名、材質、広告、その他各種の印刷を施してもよい。
【００１７】
図２及び図３に示すように、各シート部１０における収容室画成部分１２の内面には、付着防止層２５（図２における網掛け模様部）が設けられている。この付着防止層２５が、収容室画成部分１２の全域にわたることで、収容室１ｓの内面の全体を覆っている。詳しくは、付着防止層２は、ヒートシール樹脂層２４における収容室１ｓに対応する部分２４ｓに被膜されている。ヒートシール樹脂層２４の左右両側の縁部２４ａが、この付着防止層２５よりも外側へ延び出ている。
【００１８】
付着防止層２５は、ホットメルト接着剤２に対して難接着性を有している。ここでは、付着防止層２５の主材料として、難接着性のシリコーンが用いられている。シリコーン自体は透明である。このシリコーンに着色剤が添加されることで、付着防止層２５が着色されている。着色剤は付着防止層２５の全体に一様に添加されている。したがって、収容室１ｓの内面の全域が、着色剤の色になっている。
【００１９】
しかも、付着防止層２５は、ホットメルト接着剤２と同色系に着色されている。例えば、ホットメルト接着剤２が青色系であるときは、青色系の着色剤を用いることで付着防止層２５を青色系とする。ホットメルト接着剤２が赤色系であるときは、赤色系の着色剤を用いることで付着防止層２５を赤色系とする。ここで、「同色系」とは、まったくの同色に限られず、付着防止層２５の色がホットメルト接着剤２に移ったときに、その色移りが目立たない範囲で多少異なる色も含む意である。具体的には、ＪＩＳＺ８７２９に基づくＬ＊ａ＊ｂ＊表色系において、付着防止層２５のホットメルト接着剤２に対する色差ΔＥ＊abは、好ましくはΔＥ＊ab＝２０以下、より好ましくはΔＥ＊ab＝１０以下、一層好ましくはΔＥ＊ab＝５以下である。
【００２０】
また、付着防止層２５の色は、ラミネートシート２０の内面側に現れた色とは異色系である。つまり、付着防止層２５は、金属膜層２２の銀白色とは異なる色になっている。逆に言うと、ラミネートシート２０は、付着防止層２５及びホットメルト接着剤２とは別系統の色になっている。ここで、「異色系」とは、付着防止層２５の色とラミネートシート２０の色とが一見して別の色であると認識できる程度に異なることを言う。具体的には、ＪＩＳＺ８７２９に基づくＬ＊ａ＊ｂ＊表色系において、付着防止層２５のラミネートシート２０に対する色差ΔＥ＊abは、好ましくはΔＥ＊ab＝３０以上、より好ましくはΔＥ＊ab＝６０以上である。
【００２１】
シリコーン製の付着防止層２５の溶融温度Ｔ２５は、１０００℃台であり、ヒートシール樹脂層２４の溶融温度Ｔ２４よりはるかに高い（Ｔ２５＞Ｔ２４）。また、ヒートシール樹脂層２４の溶融温度Ｔ２４は、ホットメルト接着剤２の溶融温度Ｔ２より高い（Ｔ２４＞Ｔ２）。例えば、ＰＥＴ製のヒートシール樹脂層２４の溶融温度Ｔ２４は、Ｔ２４＝１２０℃〜２６０℃程度である。ホットメルト接着剤２の溶融温度Ｔ２は、Ｔ２＝１００℃程度である。
【００２２】
収容袋１は、次のようにして製造される。
まず、収容すべきホットメルト接着剤２と同色系の付着防止層２５を用意する。この付着防止層２５の色とラミネートシート２０の内面側の色とは異色系とする。
図２に示すように、この付着防止層２５を、ラミネートシート２０における収容室画成部分１２の内面すなわちヒートシール樹脂層２４の収容室対応部分２４ｓの内面に塗布する。これによって、ラミネートシート２０と付着防止層２５とを含むシート１Ｘが形成される。塗布方法としては、ハケやローラで塗り付けてもよく、ノズルで吹き付けて塗布してもよい。このとき、収容室画成部分１２の全域に単一の付着防止層２５を一様に塗布すればよく、例えば収容室画成部分１２の外縁部分だけにライン状の着色層を塗布する必要は無い。したがって、塗布作業を容易に行なうことができ、工数も減る。
【００２３】
次に、シート１Ｘを二つ折りにすることで、折り曲げ部１ｂを挟んで両側のシート部１０，１０どうしを互いに対向するように重ね合わせる。このとき、２つのシート部１０，１０の付着防止層２５，２５の左右の縁２５ａ，２５ａ（付着防止層２５と縁部１１ａとの境）どうしを一致させる。付着防止層２５は着色されていて、シート１Ｘの縁部１１ａとは色が異なるために、付着防止層２５と縁部１１ａとの境を明瞭に判別することができる。したがって、２つのシート部１０，１０の付着防止層２５，２５の左右の縁２５ａ，２５ａどうしを容易にぴったりと合わせることができ、シート部１０，１０どうしのズレを無くすことができる。これによって、何れか一方のシート部１０の縁部１１ａが部分的に収容室１ｓ内に露出しないようにすることができる。
【００２４】
続いて、シート部１０，１０の左右両側の縁部１１ａ，１１ａどうしをヒートシールして封止する。すなわち、これら縁部１１ａ，１１ａをヒートシール樹脂層２４の溶融温度Ｔ２４以上に加熱することで、ヒートシール樹脂層２４，２４の縁部２４ａ，２４ａどうしを溶融させて一体接合する。これによって、封止部１ａが形成される。このとき、加熱領域が、付着防止層２５の塗布領域に及んでいたとしても、付着防止層２５の溶融温度Ｔ２５はヒートシール樹脂層２４の溶融温度Ｔ２４より十分に高いから（Ｔ２５＞Ｔ２４）、シート部１０，１０の付着防止層２５，２５どうしが溶融して接合されることはない。したがって、加熱領域を厳密に調節する必要がなく、ヒートシール作業を容易に行なうことができる。
【００２５】
その後、ホットメルト接着剤２を溶融させて、口部１ｅから収容室１ｓ内に流し込む。ヒートシール樹脂層２４の溶融温度Ｔ２４がホットメルト接着剤２の溶融温度Ｔ２より高いから（Ｔ２４＞Ｔ２）、ホットメルト接着剤２の熱でヒートシール樹脂層２４が溶けることはなく、封止部１ａの封止状態を維持できる。
【００２６】
ホットメルト接着剤２の充填後、シート部１０，１０の上側の縁部１１ｅ，１１ｅどうしをヒートシールすることで、収容袋１を密封する。
【００２７】
収容室１ｓの内面には難接着性の付着防止層２５が被膜されているため、ホットメルト接着剤２が収容室１ｓの内面に付着するのを防止できる。また、前述した通り、製袋時において、シート部１０の縁部１１ａと付着防止層２５との色の違いを利用して、シート部１０，１０どうしを正確に位置合わせすることで、ヒートシール樹脂層２４の縁部２４ａが部分的に収容室１ｓ内に露出するのを防止できるから、この露出部分にホットメルト接着剤２が付着するのを防止することができる。
【００２８】
ホットメルト接着剤２を使用する際は、収容袋１の一箇所を切除して開口を設け、そこからホットメルト接着剤２を吐出させる。付着防止層２５によってホットメルト接着剤２が収容室１ｓの内面に付着するのが防止されているため、収容袋１内からホットメルト接着剤２を円滑に吐出させることができる。さらには、収容袋１から取り出し不能なホットメルト接着剤２の量を減らすことができ、ホットメルト接着剤２の使用効率を確保できる。
【００２９】
収容袋１内のホットメルト接着剤２は付着防止層２５と接しているため、付着防止層２５の色がホットメルト接着剤２に移るおそれがある。しかし、付着防止層２５は、ホットメルト接着剤２と同色系になっているため、たとえホットメルト接着剤２に色移りしたとしても、その色移り部分が目立たないようにすることができる。したがって、ホットメルト接着剤２の外観が損なわれるのを抑制又は防止できる。
【００３０】
本発明は、前記実施形態に限定されるものではなく、その趣旨を逸脱しない範囲内で種々の改変をなすことができる。
例えば、収容袋１は、二方袋に限られず、三方袋であってもよい。この場合、２つのシート部１０，１０は互いに別体になっており、互いに重ねられたうえで下側及び左右両側の縁部がヒートシールにより封止される。さらに、ホットメルト接着剤２の充填後に上側の縁部がヒートシールにより封止される。
また、収容袋１が、筒状のシートから製造されたものであってもよい。この場合、シート部１０，１０の左右両側の縁部が一体に連なっている。このシート部１０，１０の下側の縁部がヒートシールにより封止される。さらに、ホットメルト接着剤２の充填後に上側の縁部がヒートシールにより封止される。
【００３１】
ラミネートシート２０の金属膜層２２を省略してもよく、ラミネートシート２０を透明にしてもよい。ラミネートシート２０が透明である場合、外部から付着防止層２５が見えるため、収容袋１の製造に際して、２つのシート部１０，１０の付着防止層２５，２５の縁２５ａ，２５ａどうしを一致させやすくなり、シート部１０，１０のズレを一層確実に防止できる。
内容物は、ホットメルト接着剤２に限られず、他の接着剤であってもよく、粘着剤であってもよく、一部分だけに接着剤や粘着剤が設けられた内容物であってもよい。
【産業上の利用可能性】
【００３２】
本発明は、例えばホットメルト接着剤を収容する収容袋に適用できる。
【符号の説明】
【００３３】
１        収容袋
１ａ      封止部
１ｓ      収容室
２        ホットメルト接着剤（内容物）
１０      シート部
１１      縁部
１１ａ    左右両側の縁部
１２      収容室画成部分（収容室を画成する部分）
２０      ラミネートシート
２４      ヒートシール樹脂層、最内層
２４ａ    縁部
２４ｓ    収容室対応部分（収容室に対応する部分）
２５      付着防止層
【図１】
0006389108.tif 000002
【図２】
0006389108.tif 000003
【図３】
0006389108.tif 000004